(57)【特許請求の範囲】
【請求項１】
ワイヤハーネスの中途部を支持する支持具を取付可能なワイヤハーネス支持具取付部材において、
複数の面が合わさることで立体状に構成されており、複数の面に、前記支持具を取付可能な支持具取付孔が形成されているボックス部と、
前記ボックス部の少なくとも１つの面に配置されており、車体に取付可能な車体取付部と、
を備え、
前記支持具取付孔には、前記支持具が着脱可能に取り付けられ、
前記ボックス部は、多面体から２つの隣り合う面を無くすことで、前記支持具取付孔に取り付けた前記支持具を取り外す作業を行うための開口部として開口させた部分を含む形状であることを特徴とするワイヤハーネス支持具取付部材。
【請求項２】
請求項１に記載のワイヤハーネス支持具取付部材であって、
前記車体取付部が前記ボックス部に対して着脱可能であり、
前記ボックス部は、前記車体取付部と係合可能な係合部が多面体の２つの面にそれぞれ形成されている部分を含む形状であることを特徴とするワイヤハーネス支持具取付部材。
【請求項３】
請求項２に記載のワイヤハーネス支持具取付部材であって、
前記ボックス部は、正方形の面と長方形の面を組み合わせた六面体であり、
前記係合部は、前記正方形の面と前記長方形の面にそれぞれ形成されていることを特徴とするワイヤハーネス支持具取付部材。
【請求項４】
請求項２又は３に記載のワイヤハーネス支持具取付部材であって、
前記係合部は前記ボックス部の外表面に形成された部分であり、前記車体取付部を前記ボックス部に対して当該外表面に沿う方向にスライドさせることで、前記車体取付部が前記係合部に係合することを特徴とするワイヤハーネス支持具取付部材。
【請求項５】
請求項１から４までの何れか一項に記載のワイヤハーネス支持具取付部材であって、
前記支持具取付孔が楕円状又は長円状に形成されていることを特徴とするワイヤハーネス支持具取付部材。
【請求項６】
請求項５に記載のワイヤハーネス支持具取付部材であって、
前記支持具取付孔が形成されている前記ボックス部の面が長方形状であり、当該ボックス部の少なくとも１面では、当該面の長辺と、前記支持具取付孔の楕円又は長円の長手方向と、が平行であることを特徴とするワイヤハーネス支持具取付部材。
【請求項７】
ワイヤハーネスの中途部を支持する支持具と、
複数の面が合わさることで立体状に構成されており、複数の面に、前記支持具を取付可能な支持具取付孔が形成されており、そのうちの１つの面に前記支持具が取り付けられているボックス部と、
前記ボックス部の少なくとも１つの面に配置されており、車体に取付可能な車体取付部と、
を備え、
前記支持具取付孔には、前記支持具が着脱可能に取り付けられ、
前記ボックス部は、多面体から２つの隣り合う面を無くすことで、前記支持具取付孔に取り付けた前記支持具を取り外す作業を行うための開口部として開口させた部分を含む形状であることを特徴とするワイヤハーネス支持装置。
【請求項８】
請求項７に記載のワイヤハーネス支持装置であって、
前記車体取付部が前記ボックス部に対して着脱可能であり、
前記ボックス部は、前記車体取付部と係合可能な係合部が多面体の２つの面にそれぞれ形成されている部分を含む形状であることを特徴とするワイヤハーネス支持装置。
【発明の詳細な説明】
【技術分野】
【０００１】
本発明は、主として、車体に配置されるワイヤハーネスを支持する支持具を取り付けるためのワイヤハーネス支持具取付部材に関する。
【背景技術】
【０００２】
ワイヤハーネスは、複数の電線を束ねるとともに、その端部にコネクタを取り付けたものである。ワイヤハーネスは、自動車等の車両が備える各種電気機器へ電力又は制御信号を送信するために用いられる。ワイヤハーネスは、所定の支持具に支持されることにより、自動車等の車両に配置される。
【０００３】
特許文献１は、ワイヤハーネスのコネクタを固定するコネクタホルダを開示する。特許文献１のコネクタホルダには、複数のコネクタ装着部が形成されている。また、ワイヤハーネスにはホルダ装着部が形成されており、ホルダ装着部をコネクタ挿着部に合わせた状態でコネクタをスライドさせることで、コネクタホルダにコネクタを装着させることができる。
【先行技術文献】
【特許文献】
【０００４】
【特許文献１】特開２００１−１７６６１９号公報
【発明の概要】
【発明が解決しようとする課題】
【０００５】
しかし、特許文献１は、ワイヤハーネスのコネクタを固定する構成であり、ワイヤハーネスの中途部（電線が束ねられた部分であってコネクタ以外の部分）を支持する構成については、記載されていない。更に、コネクタをスライドさせてコネクタホルダに装着させる構成であるため、ホルダ挿着部及びコネクタ挿着部の構造が複雑になるとともに、コネクタの挿着作業が手間になる。
【０００６】
また、一般的に自動車等では、限られた空間を有効活用する観点から、ワイヤハーネスが通る経路は非常に詳細に設計されている。そのため、ワイヤハーネスの中途部を支持する支持具は、ワイヤハーネスが所定の位置を所定の向きで通過するように当該ワイヤハーネスを案内している。このような機能を支持具に求める場合、ワイヤハーネスの経路に応じて支持具を個別に設計及び製造する必要があり、コストが増大する。
【０００７】
本発明は以上の事情に鑑みてされたものであり、その主要な目的は、ワイヤハーネスの中途部を支持する支持具を取り付けるためのワイヤハーネス支持具取付部材において、様々な経路にワイヤハーネスを案内可能な構成を提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、ワイヤハーネスの中途部を支持する支持具を取付可能なワイヤハーネス支持具取付部材において、以下の構成が提供される。即ち、このワイヤハーネス支持具取付部材は、ボックス部と、車体取付部と、を備える。前記ボックス部は、複数の面が合わさることで立体状に構成されており、複数の面に、前記支持具を取付可能な支持具取付孔が形成されている。前記車体取付部は、前記ボックス部の少なくとも１つの面に配置されており、車体に取付可能である。前記支持具取付孔には、前記支持具が着脱可能に取り付けられている。前記ボックス部は、多面体から２つの隣り合う面を無くすことで、前記支持具取付孔に取り付けた前記支持具を取り外す作業を行うための開口部として開口させた部分を含む形状である。
【００１０】
これにより、支持具の取付位置が複数存在するため、支持具の取付位置を変更することで、様々な経路にワイヤハーネスを案内することができる。従って、１種類のワイヤハーネス支持具取付部材を用いて様々な経路を実現できる。そのため、ワイヤハーネス支持具取付部材の種類を減らすことができるので、設計及び製造のコストを低減できる。また、支持具取付孔に支持具を取り付ける構成であるため、支持具の取付けが容易である。また、無くした面（開口部）からボックス部の内部にアクセスできるため、支持具を容易に取り外すことができる。また、面を無くすことで、型からボックス部を抜くことができるので、型を用いてボックス部を製造することができる。
【００１１】
前記のワイヤハーネス支持具取付部材においては、以下の構成とすることが好ましい。即ち、前記車体取付部が前記ボックス部に対して着脱可能である。前記ボックス部は、前記車体取付部と係合可能な係合部が多面体の２つの面にそれぞれ形成されている部分を含む形状である。
【００１２】
これにより、車体取付部の位置を変更することで、ワイヤハーネスの経路のパターンを増やすことができる。
【００１３】
前記のワイヤハーネス支持具取付部材においては、以下の構成とすることが好ましい。即ち、前記ボックス部は、正方形の面と長方形の面を組み合わせた六面体である。前記係合部は、前記正方形の面と前記長方形の面にそれぞれ形成されている。
前記のワイヤハーネス支持具取付部材においては、前記係合部は前記ボックス部の外表面に形成された部分であり、前記車体取付部を前記ボックス部に対して当該外表面に沿う方向にスライドさせることで、前記車体取付部が前記係合部に係合することが好ましい。
【００１９】
前記のワイヤハーネス支持具取付部材においては、前記支持具取付孔が楕円状又は長円状に形成されていることが好ましい。
【００２０】
これにより、支持具取付孔を円状に形成する構成と比較して、支持具を回りにくくすることができる。
【００２１】
前記のワイヤハーネス支持具取付部材においては、前記支持具取付孔が形成されている前記ボックス部の面が長方形状であり、当該ボックス部の少なくとも１面では、当該面の長辺と、前記支持具取付孔の楕円又は長円の長手方向と、が平行であることが好ましい。
【００２２】
これにより、ボックス部の面形状を効率的に利用できるため、ワイヤハーネス支持具取付部材をコンパクトにすることができる。
【００２７】
本発明の第２の観点によれば、以下の構成のワイヤハーネス支持装置が提供される。即ち、このワイヤハーネス支持装置は、支持具と、ボックス部と、車体取付部と、を備える。前記支持具は、ワイヤハーネスの中途部を支持する。前記ボックス部は、複数の面が合わさることで立体状に構成されており、複数の面に、前記支持具を取付可能な支持具取付孔が形成されており、そのうちの１つの面に前記支持具が取り付けられている。前記車体取付部は、前記ボックス部の少なくとも１つの面に配置されており、車体に取付可能である。前記支持具取付孔には、前記支持具が着脱可能に取り付けられている。前記ボックス部は、多面体から２つの隣り合う面を無くすことで、前記支持具取付孔に取り付けた前記支持具を取り外す作業を行うための開口部として開口させた部分を含む形状である。
【００２８】
これにより、支持具の取付位置が複数存在するため、支持具の取付位置を変更することで、様々な経路にワイヤハーネスを案内することができる。従って、１種類のワイヤハーネス支持具取付部材を用いて様々な経路を実現できる。そのため、ワイヤハーネス支持具取付部材の種類を減らすことができるので、設計及び製造のコストを低減できる。また、支持具取付孔に支持具を取り付ける構成であるため、支持具の取付けが容易である。また、無くした面（開口部）からボックス部の内部にアクセスできるため、支持具を容易に取り外すことができる。また、面を無くすことで、型からボックス部を抜くことができるので、型を用いてボックス部を製造することができる。
また、前記のワイヤハーネス支持装置においては、以下の構成であることが好ましい。即ち、前記車体取付部が前記ボックス部に対して着脱可能である。前記ボックス部は、前記車体取付部と係合可能な係合部が多面体の２つの面にそれぞれ形成されている部分を含む形状である。
これにより、車体取付部の位置を変更することで、ワイヤハーネスの経路のパターンを増やすことができる。
【図面の簡単な説明】
【００２９】
【図１】第１実施形態に係る、ボックス部に車体取付部を取り付ける様子を示す斜視図、及び、車体取付部の取付後の取付部材を示す斜視図。
【図２】取付部材を車体に取り付ける様子を示す斜視図。
【図３】取付部材に支持具を取り付ける様子を示す斜視図。
【図４】支持具にワイヤハーネスを取り付けた後の様子を示す斜視図。
【図５】取付部材に別の支持具を取り付けてワイヤハーネスを支持する様子を示す斜視図。
【図６】ボックス部に係合部が複数形成される第２実施形態を示す斜視図。
【図７】ボックス部に開口部が複数形成される第３実施形態を示す斜視図。
【発明を実施するための形態】
【００３０】
次に、図面を参照して本発明の第１実施形態を説明する。初めに、図１から図４を参照して、ワイヤハーネス支持装置１について説明する。
【００３１】
図４に示すように、ワイヤハーネス支持装置１は、車体１０に取り付けられ、ワイヤハーネス４０が所定の位置及び所定の向きとなるように、当該ワイヤハーネス４０を支持する。ワイヤハーネス４０は、複数の電線が束ねられたものであり、通常は分岐が存在し、端部には他の電気機器等と接続するためのコネクタ（図略）が配置されている。ワイヤハーネス支持装置１は、ワイヤハーネス４０のコネクタではなく中途部（電線が束ねられた部分であってコネクタ以外の部分）を支持する。
【００３２】
図４に示すように、ワイヤハーネス支持装置１は、取付部材２０と、支持具３０と、を備える。取付部材２０は、車体１０に取り付けられる。支持具３０は、取付部材２０に取り付けられ、ワイヤハーネス４０の中途部を支持する。以下、取付部材２０及び支持具３０について詳細に説明する。
【００３３】
図１（ｂ）に示すように、取付部材２０は、ボックス部２１と、車体取付部２２と、を備える。
【００３４】
ボックス部２１は、金型等を用いて一体成型された樹脂製の部材であり、複数の面が合わさることで立体状（箱状）に構成されている。具体的には、ボックス部２１は、６つの矩形状の面から構成される多面体（六面体）から、１つの面を無くした（１つの面を開口部２１ｃとして開口させた）形状である。このように開口部２１ｃを形成することで、金型からボックス部２１を抜くことができるので、金型を用いてボックス部２１を容易に製造できる。また、ボックス部２１の上面及び下面は正方形状であり、側面は長方形状である。ボックス部２１の各面の外表面には、支持具取付孔２１ａ又は係合部２１ｂが形成されている。
【００３５】
支持具取付孔２１ａは、図１における下面（正方形状の面）と、開口部２１ｃが形成されていない３つの側面と、にそれぞれ形成された長円状の貫通孔である。ボックス部２１の側面においては、長円の長手方向と、長方形状の面の長辺と、が平行である。ただし、長円の長手方向と、長方形状の面の長辺と、が垂直であっても良い。
【００３６】
係合部２１ｂは、図１における上面（正方形状の面）に形成されている。係合部２１ｂは、車体取付部２２を取り付けるための部材である。係合部２１ｂは、車体取付部２２の取付面（図１の下面）に形成された図略の係合部と対応する形状である。図１（ａ）及び図１（ｂ）に示すように、ボックス部２１の係合部２１ｂと、車体取付部２２と、を合わせてスライドさせることで、ボックス部２１に車体取付部２２を取り付けることができる。なお、車体取付部２２は、スナップフィット等によりボックス部２１に取り付けられているため、ボックス部２１から車体取付部２２を取り外すこともできる。
【００３７】
車体取付部２２は、金型等を用いて一体成型された樹脂製の部材であり、上述のようにボックス部２１に着脱可能に構成されるとともに、その反対側の面において、車体１０に着脱可能に取り付けられる。具体的には、図２に示すように、車体１０には、円、楕円、長円、又は矩形等の貫通孔１０ａが形成されている。一方、車体取付部２２は、当該車体取付部２２の先端側（貫通穴１０ａの挿入方向奥側）に進むに従って、幅が小さくなるテーパ状に構成されている。また、車体取付部２２のテーパ状の部分の内側には空間が設けられており、当該テーパ状の部分は、外側から内側に押圧されることで弾性変形してサイズが小さくなるように構成されている。この構成により、図２に示すように、車体取付部２２を貫通孔１０ａに挿入することで、貫通孔１０ａの縁によって車体取付部２２が内側に押圧される。そして、車体取付部２２を十分に貫通孔１０ａに挿入することで、車体取付部２２が貫通孔１０ａの奥に位置するようになるため、車体取付部２２のサイズが元に戻る。この構成により、取付部材２０（詳細には車体取付部２２）を車体１０に取り付けることができる。なお、本実施形態では、初めに車体１０に取付部材２０を取り付け、次に取付部材２０に支持具３０を取り付ける。これに代えて、初めに取付部材２０に支持具３０を取り付け、次に支持具３０付きの取付部材２０（即ちワイヤハーネス支持装置１）を車体１０に取り付けても良い。
【００３８】
図３に示すように、支持具３０は、金型等を用いて一体成型された樹脂製の部材であり、ボックス部取付部３１と、経路調整部３２と、ワイヤハーネス取付部３３と、を備える。
【００３９】
ボックス部取付部３１は、ボックス部２１に取り付けるための部材である。ボックス部取付部３１は、車体取付部２２と同様の構成であり、支持具取付孔２１ａに取付可能に構成されている。ここで、支持具取付孔２１ａは長円状であるため、取付部材２０に取り付けた支持具３０が回転することを防止できる。ボックス部取付部３１は、ボックス部２１への取付後にボックス部取付部３１を外側から内側に押圧することで、ボックス部取付部３１をボックス部２１から取り外すことができる。本実施形態では、開口部２１ｃが形成されているため、治具等を挿入してボックス部取付部３１を内側に押圧する作業（即ち、ボックス部取付部３１を取外す作業）を容易に行うことができる。特に、本実施形態では、開口部２１ｃの手前から奥に向かう方向と、ボックス部取付部３１が弾性変形する方向（支持具取付孔２１ａの長手方向）と、が垂直であるため、ボックス部取付部３１を内側に押圧する作業の作業性を高めることができる。なお、本実施形態では、全ての支持具取付孔２１ａについて、この条件を満たす。しかし、図５の変形例に示すように、少なくとも１つの支持具取付孔２１ａについて、この条件を満たさないように構成されていても良い。
【００４０】
経路調整部３２は、ボックス部取付部３１に接続されている。経路調整部３２は、ワイヤハーネス４０の経路をオフセットするために設けられている。
【００４１】
ワイヤハーネス取付部３３は、経路調整部３２に接続されている。ワイヤハーネス取付部３３は、細長状の部材である。図４に示すように、ワイヤハーネス４０は、ワイヤハーネス取付部３３に沿うように配置された後に、テープ５０等によって当該ワイヤハーネス取付部３３に固定される。これにより、ワイヤハーネス４０を所定の位置及び向きに配置することができる。
【００４２】
上述のように、本実施形態では、ボックス部２１の複数の面に支持具取付孔２１ａが形成されている。従って、支持具３０の取付位置を変更するだけで、ワイヤハーネス４０の異なる経路が実現できる。また、支持具取付孔２１ａ及びボックス部取付部３１が対称である場合、支持具３０の取付向きを変更することでも、ワイヤハーネス４０の異なる経路が実現できる。更に、支持具取付孔２１ａは汎用的な取付孔であり、図５の変形例に示すように他の支持具３５を取り付けることもできる。
【００４３】
支持具３５は、支持具３０と同様に、ボックス部取付部３６と、経路調整部３７と、ワイヤハーネス取付部３８と、を備える。支持具３５の各部の構成は、支持具３０と同様なので説明を省略する。支持具３０と支持具３５はワイヤハーネス４０を案内する向き及びオフセット量等が異なるため、設計された経路に応じて使い分けることで、取付部材２０の汎用性を一層向上させることができる。
【００４４】
次に、第２実施形態を説明する。図６は、ボックス部２１に係合部２１ｂが複数形成される第２実施形態を示す斜視図である。なお、第２実施形態及び後述の第３実施形態の説明においては、前述の実施形態と同一又は類似の部材には図面に同一の符号を付し、説明を省略する場合がある。
【００４５】
上記実施形態では、ボックス部２１には係合部２１ｂが１つの面のにみ形成されていたが、第２実施形態では、２つの面に係合部２１ｂが形成されている。具体的には、図６に示すように、ボックス部２１の正方形状の面（上面）と長方形状の面（側面、開口部２１ｃに隣接する面）とに係合部２１ｂが形成されている。
【００４６】
この構成により、車体取付部２２の取付位置を変更することで、車体取付部２２と開口部２１ｃの位置関係も異なるため、同じ支持具３０を用いて、ワイヤハーネス４０の更に異なる経路が実現できる。
【００４７】
次に、第３実施形態を説明する。図７は、ボックス部２１に開口部２１ｃが複数形成される第３実施形態を示す斜視図である。
【００４８】
上記実施形態では、開口部２１ｃが１箇所のみであったが、第３実施形態では、開口部２１ｃが２箇所に形成されている。この構成により、ボックス部２１の内部にアクセスし易くなるため、一方の開口部２１ｃが他の部材等によって支持具３０を一層容易に取り外すことができる。また、ボックス部２１の材料が少なくて良いため、コストを低減できる。
【００４９】
図７（ａ）では、互いに向かい合う２面を共に開口部２１ｃとした例が示されている。この構成により、２面を開放した場合であっても強度を確保することができる。図７（ｂ）では、隣り合う２面を共に開口部２１ｃとした例が示されている。この構成により、ボックス部２１の内部に一層アクセスし易くなる。なお、図７（ｂ）では、隣り合う開口部２１ｃの間に柱が形成されているが、無くしても良い。
【００５０】
以上に説明したように、取付部材２０は、ボックス部２１と、車体取付部２２と、を備える。ボックス部２１は、複数の面が合わさることで立体状に構成されており、複数の面に、支持具３０，３５を取付可能な支持具取付孔２１ａが形成されている。車体取付部２２は、ボックス部２１の少なくとも１つの面に配置されており、車体１０に取付可能である。
【００５１】
これにより、支持具３０，３５の取付位置が複数存在するため、支持具３０，３５の取付位置を変更することで、様々な経路にワイヤハーネス４０を案内することができる。従って、１種類の取付部材２０を用いて様々な経路を実現できる。そのため、取付部材２０の種類を減らすことができるので、設計及び製造のコストを低減できる。また、支持具取付孔２１ａに支持具３０，３５を取り付ける構成であるため、支持具３０，３５の取付けが容易である。
【００５２】
また、取付部材２０において、支持具取付孔２１ａには、支持具３０，３５が着脱可能に取り付けられる。ボックス部２１には、支持具取付孔２１ａに取り付けた支持具３０，３５を取り外す作業を行うための開口部２１ｃが形成されている。
【００５３】
これにより、無くした面からボックス部２１の内部にアクセスできるため、支持具３０，３５を容易に取り外すことができる。
【００５４】
また、取付部材２０においては、支持具取付孔２１ａが形成されているボックス部２１の面が長方形状であり、当該ボックス部２１の少なくとも１面（開口部２１ｃに対抗する面）では、当該面の長辺と、支持具取付孔２１ａの楕円又は長円の長手方向と、が平行である。
【００５５】
これにより、ボックス部２１の面形状を効率的に利用できるため、取付部材２０をコンパクトにすることができる。
【００５６】
以上に本発明の好適な実施の形態及び変形例を説明したが、上記の構成は例えば以下のように変更することができる。
【００５７】
ボックス部２１の形状は六面体に限られず、他の多面体（例えば、三角柱、四面体、六面体、八面体）であっても良いし、当該多面体から１又は複数の面を無くした形状であっても良い。
【００５８】
ボックス部２１には、各面に１つずつ、支持具取付孔２１ａ又は係合部２１ｂが形成されているが、何も形成されない面が存在しても良いし、複数の支持具取付孔２１ａが１面に形成されていても良いし、支持具取付孔２１ａと係合部２１ｂの両方が１面に形成されていても良いし、複数の係合部２１ｂが１面に形成されていても良い。
【００５９】
支持具取付孔２１ａ、係合部２１ｂ、開口部２１ｃの位置関係は任意であり上記実施形態で開示した構成に限られない。
【００６０】
ボックス部２１の各面は、正方形状と長方形状の組合せに限られず、正方形状のみであっても良いし、長方形状のみであっても良いし、矩形以外の形状（三角形及び台形等）が含まれていても良い。
【００６１】
支持具取付孔２１ａは、長円状に限られず、楕円状、円状、矩形状であっても良い。また、支持具取付孔２１ａが長円状又は楕円状であって、長方形状の面に形成されている場合、支持具取付孔２１ａの長手方向と、長方形状の面の長辺方向と、は第１実施形態のように全ての面で平行であっても良いし、全ての面で垂直であっても良いし、平行と垂直が両方存在していても良い。更には、支持具取付孔２１ａの長手方向と、長方形状の面の長辺方向と、が垂直以外の角度をなしていても良い。
【００６２】
開口部２１ｃの個数及び位置は任意であり、上記で説明した構成に限られない。例えば、開口部２１ｃが３面以上形成されていても良い（この場合、ボックス部２１の面数が６より多いことが好ましい。）。また、車体１０を取付部材２０に取り付けた後に開口部２１ｃが上方（取付部材２０を挟んで車体１０の反対側）に位置していても良い。また、開口部２１ｃは、支持具３０の取外作業を行うことができる大きさであれば良く、多面体の１面全体を無くさなくても良い。例えば、多面体の１面に形成した貫通孔（取外作業ができる程度のサイズ）を開口部２１ｃとすることもできる。
【００６３】
取付部材２０に、複数の支持具３０が同時に取り付けられていても良い。また、取付部材２０は、ワイヤハーネス４０を支持する支持具３０に加え、他の部材（オーディオケーブル、ウォッシャーホース等）を支持する支持具が取付可能であっても良い。
【００６４】
上記実施形態では、車体１０と取付部材２０、取付部材２０と支持具３０、ボックス部２１と車体取付部２２は、それぞれ着脱可能であるが、取付後に取り外せない構成であっても良い。
【符号の説明】
【００６５】
１  ワイヤハーネス支持装置
１０  車体
２０  取付部材（ワイヤハーネス支持具取付部材）
２１  ボックス部
２１ａ  支持具取付孔
２１ｂ  係合部
２１ｃ  開口部
２２  車体取付部
３０，３５  支持具
４０  ワイヤハーネス
【図１】
0006623069.tif 000002
【図２】
0006623069.tif 000003
【図３】
0006623069.tif 000004
【図４】
0006623069.tif 000005
【図５】
0006623069.tif 000006
【図６】
0006623069.tif 000007
【図７】
0006623069.tif 000008